(57)【要約】【課題】携帯型情報保持媒体のユーザを認証し、有効期限付きで利用を許可する画像処理システムにおいて、有効期限が切れたときの有効期限の延長を簡単な操作で実現する。【解決手段】タグ情報入力手段１０１はユーザが提示したタグのタグＩＤを取得する（Ｓ２０１、Ｓ２０２）。タグ識別手段１０２はタグ情報テーブルからタグＩＤに紐付けられたユーザＩＤと登録日時を読み取る（Ｓ２０４）。ユーザが機能を利用する際に、ユーザ認証手段１０４は、リソース情報テーブルから利用許可期間を表す有効期間情報を読み取り、有効期限が切れている場合、タグ識別手段１０２、ユーザ情報入力手段１０３を介してユーザに対してユーザＩＤの入力を求める（Ｓ２１３〜Ｓ２１５）。入力されたユーザＩＤが正しい場合、機能の利用を許可するとともに、登録日時を更新する（Ｓ２１６〜Ｓ２２３）。【選択図】図５
2017123075.tif 000002
【特許請求の範囲】
【請求項１】
携帯型情報保持媒体のユーザを認証し、有効期限付きで利用を許可する画像処理システムであって、
ユーザが携帯している携帯型情報保持媒体から、当該携帯型情報保持媒体の識別情報を取得する媒体識別情報取得手段と、
携帯型情報保持媒体の識別情報と、ユーザの識別情報と、それらの登録日時を表す登録日時情報とを紐付けて認証識別情報として保持する認証識別情報保持手段と、
認証識別情報の登録日時からの有効期間を表す有効期間情報を保持する利用許可情報保持手段と、
前記媒体識別情報取得手段により取得された携帯型情報保持媒体の識別情報に基づいて前記認証識別情報保持手段から読み出されたユーザの識別情報に紐付けられて前記認証識別情報保持手段で保持されている登録日時情報、前記利用許可情報保持手段で保持されている有効期間情報、および現在時刻に基づいて、有効期限が切れているか否かを判断する判断手段と、
前記判断手段により、有効期限が切れていると判断された場合、ユーザに対して識別情報の入力を要求する手段と、
前記要求に応じて入力されたユーザの識別情報の認証が成功した場合、当該ユーザの識別情報に紐付けられて前記認証識別情報保持手段で保持されている登録日時情報を更新する認証識別情報更新手段と、
を有する画像処理システム。
【請求項２】
請求項１に記載された画像処理システムにおいて、
前記利用許可情報保持手段は、画像処理システムの機能に紐付けて有効期間情報を保持しており、前記判断手段は、ユーザが利用する機能に紐付けられた有効期間情報に基づいて、有効期限が切れているか否かを判断する、画像処理システム。
【請求項３】
請求項１に記載された画像処理システムにおいて、
前記要求に応じて入力されたユーザの識別情報の認証が失敗した場合、前記媒体識別情報取得手段により取得された携帯型情報保持媒体の識別情報、ならびに当該携帯型情報保持媒体の識別情報に紐付けられて前記認証識別情報保持手段で保持されているユーザの識別情報および登録日時情報を削除する認証識別情報削除手段を有する画像処理システム。
【請求項４】
請求項１〜３のいずれかに記載された画像処理システムにおいて、
前記判断手段により有効期限が切れていないと判断された場合、利用を許可する、画像処理システム。
【請求項５】
請求項１〜３のいずれかに記載された画像処理システムにおいて、
前記要求に応じて入力されたユーザの識別情報の認証が成功した場合、利用を許可する、画像処理システム。
【発明の詳細な説明】
【技術分野】
【０００１】
本発明は画像処理システムに関する。
【背景技術】
【０００２】
ＩＣカードやＲＦＩＤ（Radio frequency IDentification）などの携帯型情報保持媒体を携帯しているユーザのユーザ認証を行い、認証されたユーザに対して、予め設定された有効期限まで画像形成装置の利用を許可する情報処理システムが知られている（特許文献１）。
【０００３】
特許文献１に記載された情報処理システムでは、画像形成装置としての複合機は、ユーザに一時的に付与される携帯型情報保持媒体に適切な有効期限を設定させることで、一時的に付与される携帯型情報保持媒体の柔軟な運用を可能にする仕組みを提供するものであり、以下のように構成されている。
【０００４】
複合機は、ユーザが一時的に付与されるＩＣカード（以下、テンポラリカード）をかざすと、ユーザ認証画面および有効期間設定画面を表示する。ＬＡＮなどのネットワークを介して複合機と接続された認証サーバは、テンポラリカードから読み取られたカード識別情報、ユーザ認証画面に入力されたユーザ認証情報（ユーザＩＤ、パスワード）、および現在日時に有効期間設定画面で設定された有効期間（１日、２日など）を付加した日時を表す有効期限情報を紐付け、テンポラリカード情報としてＩＣカード認証テーブルに登録する。また、認証サーバは、ＩＣカード認証用テーブルに登録されたテンポラリカード情報の有効期限と現在時刻とを毎日定時に比較し、有効期限が切れているテンポラリカード情報を削除する。
【発明の概要】
【発明が解決しようとする課題】
【０００５】
しかしながら、前記従来の情報処理システムでは、テンポラリカード情報の有効期限が切れてしまうと、ユーザは、再度テンポラリカード情報を認証サーバに登録するための操作（テンポラリカードの提示、ユーザ認証情報の入力、有効期間の設定）が必要になるという問題がある。
【０００６】
本発明は、このような問題を解決するためになされたものであり、その目的は、携帯型情報保持媒体のユーザを認証し、有効期限付きで利用を許可する画像処理システムにおいて、有効期限が切れたときの有効期限の延長を簡単な操作で実現することである。
【課題を解決するための手段】
【０００７】
本発明に係る画像処理システムは、携帯型情報保持媒体のユーザを認証し、有効期限付きで利用を許可する画像処理システムであって、ユーザが携帯している携帯型情報保持媒体から、当該携帯型情報保持媒体の識別情報を取得する媒体識別情報取得手段と、携帯型情報保持媒体の識別情報と、ユーザの識別情報と、それらの登録日時を表す登録日時情報とを紐付けて認証識別情報として保持する認証識別情報保持手段と、認証識別情報の登録日時からの有効期間を表す有効期間情報を保持する利用許可情報保持手段と、前記媒体識別情報取得手段により取得された携帯型情報保持媒体の識別情報に基づいて前記認証識別情報保持手段から読み出されたユーザの識別情報に紐付けられて前記認証識別情報保持手段で保持されている登録日時情報、前記利用許可情報保持手段で保持されている有効期間情報、および現在時刻に基づいて、有効期限が切れているか否かを判断する判断手段と、前記判断手段により、有効期限が切れていると判断された場合、ユーザに対して識別情報の入力を要求する手段と、前記要求に応じて入力されたユーザの識別情報の認証が成功した場合、当該ユーザの識別情報に紐付けられて前記認証識別情報保持手段で保持されている登録日時情報を更新する認証識別情報更新手段と、を有する画像処理システムである。
【発明の効果】
【０００８】
本発明によれば、携帯型情報保持媒体のユーザを認証し、有効期限付きで利用を許可する画像処理システムにおいて、有効期限が切れたときの有効期限の延長をユーザ情報の入力という簡単な操作で行うことができる。
【図面の簡単な説明】
【０００９】
【図１】本発明の実施形態に係る画像処理システムのハードウェア構成を示すブロック図である。
【図２】本発明の実施形態に係る画像処理システムの機能構成を示すブロック図である。
【図３】本発明の実施形態に係る画像処理システムにおけるタグ情報登録処理を示すシーケンス図である。
【図４】本発明の実施形態に係る画像処理システムにおいて、タグ認証で期限切れが発生する場合の処理を示すシーケンス図である。
【図５】本発明の実施形態に係る画像処理システムにおいて、リソースの利用が許可されていない場合の処理を示すシーケンス図である。
【図６】本発明の実施形態に係る画像処理システムにおいて、リソースの利用が許可されている場合の処理を示すシーケンス図である。
【図７】本発明の実施形態に係る画像処理システムにおいて、タグ認証で期限切れが発生し、その後のユーザ認証に失敗する場合の処理を示すシーケンス図である。
【発明を実施するための形態】
【００１０】
以下、本発明の実施形態について図面を参照して詳細に説明する。
〈画像処理システムの構成〉
図１は、本発明の実施形態に係る画像処理システムとしてのＭＦＰ（Multi Function Peripheral：複合機）のハードウェア構成を示すブロック図である。
【００１１】
図示のように、ＭＦＰ１は、コピー機能、スキャナ機能、ファクス機能、プリンタ機能などの各種機能を実現可能な本体１０と、ユーザの操作を受け付ける操作部２０とを備える。なお、ユーザの操作を受け付けるとは、ユーザの操作に応じて入力される情報（画面の座標値を示す信号等を含む）を受け付けることを含む概念である。
【００１２】
本体１０と操作部２０は、専用の通信路３００を介して相互に通信可能に接続されている。通信路３００は、例えばＵＳＢ（Universal Serial Bus：登録商標）規格のものを用いることもできるが、有線か無線かを問わず任意の規格のものでよい。 
【００１３】
本体１０は、操作部２０で受け付けた操作に応じた動作を行うことができる。また、本体１０は、クライアントＰＣ（パーソナルコンピュータ）等の外部装置とも通信可能であり、外部装置から受信した指示に応じた動作を行うこともできる。
【００１４】
まず、本体１０のハードウェア構成について説明する。本体１０は、ＣＰＵ１１と、ＲＯＭ１２と、ＲＡＭ１３と、ＨＤＤ（ハードディスクドライブ）１４と、通信Ｉ／Ｆ（インタフェース）１５と、接続Ｉ／Ｆ１６と、エンジン部１７とを備え、これらがシステムバス１８を介して相互に接続されている。
【００１５】
ＣＰＵ１１は、本体１０の動作を統括的に制御する。ＣＰＵ１１は、ＲＡＭ１３をワークエリア（作業領域）としてＲＯＭ１２またはＨＤＤ１４等に格納されたＯＳ（オペレーティングシステム）や各種アプリケーションプログラムなどのコンピュータプログラムを実行することで、本体１０全体の動作を制御し、上述したコピー機能、スキャナ機能、ファクス機能、プリンタ機能などの各種機能を実現する。
【００１６】
通信Ｉ／Ｆ１５は、ネットワーク３０と接続するためのインタフェースである。接続Ｉ／Ｆ１６は、通信路３００を介して操作部２０と通信するためのインタフェースである。
【００１７】
エンジン部１７は、コピー機能、スキャナ機能、ファクス機能、および、プリンタ機能を実現させるための、汎用的な情報処理および通信以外の処理を行うハードウェアである。例えば、原稿の画像をスキャンして読み取るスキャナ（画像読取部）、用紙等のシート材への印刷を行うプロッタ（画像形成部）、ファクス通信を行うファクス部などを備えている。更に、印刷済みシート材を仕分けるフィニッシャや、原稿を自動給送するＡＤＦ（自動原稿給送装置）のような特定のオプションを備えることもできる。
【００１８】
次に、操作部２０のハードウェア構成について説明する。操作部２０は、ＣＰＵ２１と、ＲＯＭ２２と、ＲＡＭ２３と、フラッシュメモリ２４と、通信Ｉ／Ｆ２５と、接続Ｉ／Ｆ２６と、操作パネル２７と、外部接続Ｉ／Ｆ２８とを備え、これらがシステムバス２９を介して相互に接続されている。
【００１９】
ＣＰＵ２１は、操作部２０の動作を統括的に制御する。ＣＰＵ２１は、ＲＡＭ２３をワークエリア（作業領域）としてＲＯＭ２２またはフラッシュメモリ２４等に格納されたコンピュータプログラムを実行することで、操作部２０全体の動作を制御し、ユーザから受け付けた入力に応じた情報（画像）の表示などの後述する各種機能を実現する。
【００２０】
通信Ｉ／Ｆ２５は、ネットワーク３０と接続するためのインタフェースである。接続Ｉ／Ｆ２６は、通信路３００を介して本体１０と通信するためのインタフェースである。
【００２１】
操作パネル２７は、ユーザの操作に応じた各種の入力を受け付けるとともに、各種の情報（例えば受け付けた操作に応じた情報、ＭＦＰ１の動作状況を示す情報、設定状態などを示す情報など）を表示する。この例では、操作パネル２７は、タッチパネル機能を搭載した液晶表示装置（ＬＣＤ）で構成されるが、これに限られるものではない。例えばタッチパネル機能が搭載された有機ＥＬ表示装置で構成されてもよい。さらに、これに加えてまたはこれに代えて、ハードウェアキー等の操作部やランプ等の表示部を設けることもできる。
【００２２】
外部接続Ｉ／Ｆ２８は、ＩＣカード、ＲＦＩＤ、ＩＣタグなどの携帯型情報保持媒体に保持されているＩＤ情報（媒体固有の識別情報。以下、タグＩＤ）の読取機能を持つＩＣカードリーダやＩＣタグリーダなどの識別情報読取装置３が接続されている。
【００２３】
〈画像処理システムの機能構成〉
図２は、本発明の実施形態に係る画像処理システムの機能構成を示すブロック図である。この図に示す各機能ブロックは、図１における操作部２０内のＣＰＵ２１がＲＡＭ２３をワークエリアとしてＲＯＭ２２またはフラッシュメモリ２４等に格納されたコンピュータプログラムを実行することにより実現される。
【００２４】
図示のように、ＭＦＰ１は、タグ情報入力手段１０１、タグ識別手段１０２、ユーザ情報入出力手段１０３、ユーザ認証手段１０４、アプリケーション１０５、タグ情報テーブル１０６、リソース情報テーブル１０７、およびユーザ情報テーブル１０８を備えている。
【００２５】
認証識別情報保持手段としてのタグ情報テーブル１０６は、認証識別情報としてのタグ情報として、タグＩＤ、ユーザ情報（ユーザＩＤ）、およびそれらの登録日時を表す登録日時情報を紐付けてとして記憶する。表１にタグ情報テーブル１０６の一例を示す。
【００２６】
【表１】
2017123075.tif 000003
【００２７】
利用許可情報保持手段としてのリソース情報テーブル１０７は、リソース（機能）毎のタグによる認証の可否を表す情報（タグ認証情報）、および、認証可の場合の有効期間（利用許可期間）を表す情報（有効期間情報）を記憶する。表２にリソース情報テーブル１０７の一例を示す。この有効期間はタグ情報の登録日時からの有効期間である。
【００２８】
【表２】
2017123075.tif 000004
【００２９】
ここでは、ホーム画面およびコピーは、タグ情報の登録日時から無期限で利用が許可されている。また、送信、文書読み取りは、タグ情報の登録日時からそれぞれ１ヶ月、２か月の有効期限付きで利用が許可されている。しかし、文書削除および署名の利用は禁止されている。
【００３０】
ユーザ情報保持手段としてのユーザ情報テーブル１０８は、ユーザ情報を記憶する。
【００３１】
タグ情報入力手段１０１は、ユーザによって提示されたＩＣタグ、ＲＦＩＤ、ＩＣカードなどの携帯型情報保持媒体（以下、タグ）からタグＩＤを読み取り（取得し）、タグ識別手段１０２に通知する。タグ情報入力手段１０１は、識別情報読取装置３および外部接続Ｉ／Ｆ２８などにより構成されている。
【００３２】
タグ識別手段１０２は、「ユーザが提示したタグのタグＩＤがタグ情報テーブル１０６に登録されているか否かを確認する」、「登録されていた場合には、タグＩＤに紐付けられたユーザ情報と登録日時情報でリソース利用可否の判断をユーザ認証手段１０４に要求する」、「登録されていない場合にはユーザ情報の入力を要求する」、「入力されたユーザ情報でユーザ認証手段１０４にユーザ認証を要求する」、「ユーザ認証手段１０４によるユーザ認証が成功すると、タグ情報（タグＩＤ、ユーザ情報、登録日時）をタグ情報テーブル１０６に登録する」、などの処理を行う（詳細については後述する）。
【００３３】
ユーザ情報入出力手段１０３は、「ホーム画面を表示する」、「ユーザに対してユーザ情報の入力を要求する」、「ユーザの入力したユーザ情報をタグ識別手段１０２に通知する」、「ユーザに認証結果を表示する」などの処理を行う。ユーザ情報入出力手段１０３は、操作パネル２７などにより構成されている。
【００３４】
ユーザ認証手段１０４は、ユーザ認証処理（ユーザ情報とパスワードに基づくユーザ認証処理：本実施形態では、タグ識別手段１０２から通知されたユーザ情報がユーザ情報テーブル１０８に登録済みか否か）で認証可否を判断するのに加えて、タグ識別手段１０２によりタグ情報テーブル１０６から読み出され、ユーザ認証要求とともに通知されたユーザ情報、登録日時情報、リソース情報テーブル１０７から読み出した認証可否情報、有効期間情報からリソース利用可否を判断する。
【００３５】
〈タグ情報の登録〉
図３は、本発明の実施形態に係る画像処理システムにおけるタグ情報登録処理を示すシーケンス図である。
【００３６】
ユーザはタグ情報入力手段１０１にタグを提示する（手順Ｓ１）。タグ情報入力手段１０１は、提示されたタグからタグＩＤを抽出する（手順Ｓ２）。また、タグ情報入力手段１０１は、抽出したタグＩＤをタグ識別手段１０２に通知する（手順Ｓ３）。
【００３７】
タグ識別手段１０２は、通知されたタグＩＤがタグ情報テーブル１０６に登録されているか否かを確認し（手順Ｓ４：タグ認証可否）、登録されていない場合にタグ認証失敗と判断する（手順Ｓ４→ＮＧ）。また、タグ識別手段１０２は、ユーザ情報入出力手段１０３に対してユーザ情報（ユーザＩＤ）の入力を要求する（手順Ｓ５）。
【００３８】
ユーザ情報入出力手段１０３は、ユーザに対してユーザ情報の入力を操作パネル２７に表示することにより要求する（手順Ｓ６）。ユーザ情報入出力手段１０３は、ユーザにより操作パネル２７からユーザ情報が入力されると（手順Ｓ７）、そのユーザ情報をタグ識別手段１０２に通知する（手順Ｓ８）。
【００３９】
タグ識別手段１０２は、通知されたユーザ情報をユーザ認証手段１０４に通知し、ユーザ認証を要求する（手順Ｓ９）。ユーザ認証手段１０４は、ユーザ認証処理を行う（手順Ｓ１０：ユーザ認証可否）。また、タグ識別手段１０２は、認証に成功した場合には（手順Ｓ１０→ＯＫ）、ユーザ認証成功（認証ＯＫ）をタグ識別手段１０２に通知する（手順Ｓ１１）。
【００４０】
タグ識別手段１０２は、ユーザ認証成功の通知を受けて、ユーザ情報入出力手段１０３にユーザ認証成功を通知する（手順Ｓ１２）。また、タグ識別手段１０２は、タグＩＤ、ユーザ情報、現在時刻情報を登録日時情報として紐付けてタグ情報テーブルに記録する（手順Ｓ１３：タグ情報登録）。ユーザ情報入出力手段１０３はユーザ認証成功を表示する（手順Ｓ１４）。
【００４１】
〈タグ認証で期限切れが発生する場合の処理〉
図４は、本発明の実施形態に係る画像処理システムにおいて、タグ認証で期限切れが発生する場合の処理を示すシーケンス図である。
【００４２】
ユーザがタグ情報入力手段１０１にタグを提示する（手順Ｓ１０１）。タグ情報入力手段１０１は、提示されたタグからタグＩＤを抽出する（手順Ｓ１０２）。また、タグ情報入力手段１０１は、抽出したタグＩＤをタグ識別手段１０２に通知する（手順Ｓ１０３）。
【００４３】
タグ識別手段１０２は、通知されたタグＩＤがタグ情報テーブル１０６に登録されているか否かを確認し（手順Ｓ１０４：タグ認証可否）、登録されていた場合にタグ認証成功と判断する（手順Ｓ１０４→ＯＫ）。また、タグ識別手段１０２は、タグ情報テーブル１０６にタグＩＤに紐付けて登録されているユーザ情報およびタグ登録日時情報をユーザ認証手段１０４に通知し、ホーム画面表示の可否の判断を要求する（手順Ｓ１０５）。
【００４４】
ユーザ認証手段１０４は、リソース情報テーブル１０７（図２）の「ホーム画面」に紐付く情報を参照して、ホーム画面表示の可否を判断する（手順Ｓ１０６：リソース利用可否）。ここでは、ユーザ認証手段１０４は、ホーム画面の利用が無期限で許可されていることに基づき、ホーム画面の利用が可であると判断する（手順Ｓ１０６→ＯＫ）。そして、ユーザ認証手段１０４は、判断の結果である利用可（ホーム画面表示可）をタグ識別手段１０２に通知する（手順Ｓ１０７）。
【００４５】
タグ識別手段１０２は、利用可の通知を受けて、ユーザ情報入出力手段１０３に利用可を通知する（手順Ｓ１０８）。ユーザ情報入出力手段１０３は、利用可の通知を受けて、操作パネル２７にホーム画面を表示する（手順Ｓ１０９）。
【００４６】
続いて、ユーザがアプリケーション１０５の利用をホーム画面上で指示する（手順Ｓ１１０）。アプリケーション１０５はユーザ認証手段１０４に対して、認証状態の問合せを行う（手順Ｓ２１１）。
【００４７】
ユーザ認証手段１０４は、リソース情報テーブル１０７を参照して、要求されたアプリケーション（機能）のタグ認証に対する利用可否を判断する（手順Ｓ１１２：リソース利用可否）。例えば「リソース（機能）」が「送信」であった場合に「１ヶ月」の有効期限を読み取って、現在利用しているユーザのタグ登録日時と現在時刻の差が１ヶ月を超えていた場合に有効期限切れと判断する（手順Ｓ１１２→ＮＧ（有効期限切れ））。そして、有効期限切れをタグ識別手段１０２に通知する（手順Ｓ１１３）。ここで、手順Ｓ１１２の判断で参照するタグ登録日時は手順Ｓ１０５で通知されたものである。手順Ｓ１０５でタグ登録日時を通知せず、手順Ｓ１１２を実行する際にタグ識別手段１０２に聞きにいくように構成することもできる。
【００４８】
タグ識別手段１０２は、有効期限切れの通知を受けて、ユーザ情報入出力手段１０３にユーザ情報の入力を要求する（手順Ｓ１１４）。ユーザ情報入出力手段１０３は、ユーザに対してユーザ情報の入力を操作パネル２７に表示することにより要求する（手順Ｓ１１５）。ユーザ情報入出力手段１０３は、ユーザにより操作パネル２７からユーザ情報が入力されると（手順Ｓ１１６）、そのユーザ情報をタグ識別手段１０２に通知する（手順Ｓ１１７）。
【００４９】
タグ識別手段１０２は、通知されたユーザ情報をユーザ認証手段１０４に通知し、ユーザ認証を要求する（手順Ｓ１１８）。ユーザ認証手段１０４は、ユーザ認証処理を行い（手順Ｓ１１９：ユーザ認証可否）する。ユーザ認証手段１０４は、認証に成功した場合には（手順Ｓ１１９→ＯＫ）、アプリケーション１０５とタグ識別手段１０２にユーザ認証成功（認証ＯＫ）を通知する（手順Ｓ１２０、Ｓ１２１）。
【００５０】
タグ識別手段１０２は、ユーザ認証成功の通知を受けて、ユーザ情報入出力手段１０３にユーザ認証成功を通知する（手順Ｓ１２２）。また、タグ情報テーブル１０６に保持されている登録日時情報を現在時刻により更新する（Ｓ１２３）。
【００５１】
ユーザ情報入出力手段１０３は、認証成功の通知を受けて、認証の成功を表示する（手順Ｓ１２４）。ユーザは、ユーザ認証成功の通知を受けて、アプリケーションの利用を開始する（手順Ｓ１２５）。
【００５２】
〈リソースの利用が許可されていない場合の処理〉
図５は、本発明の実施形態に係る画像処理システムにおいて、リソースの利用が許可されていない場合の処理を示すシーケンス図である。
【００５３】
この図において、ユーザによるタグ提示（手順Ｓ２０１）からアプリケーション利用の指示（手順Ｓ２１０）の内容は、図４における手順Ｓ１０１からＳ１１０の内容と同様である。次の手順Ｓ２１１では、アプリケーション１０５はユーザ認証手段１０４に対して、認証状態の問合せを行う。
【００５４】
ユーザ認証手段１０４は、リソース情報テーブル１０７を参照して、要求されたアプリケーション（機能）のタグ認証に対する利用可否を判断する（手順Ｓ２１２：リソース利用可否）。例えば「リソース（機能）」が「文書削除」であった場合に「禁止」を読み取って、利用否と判断する（手順Ｓ２１２→ＮＧ）。そして、タグ識別手段１０２に利用否を通知する（手順Ｓ２１３）。
【００５５】
タグ識別手段１０２は、利用否の通知を受けて、ユーザ情報入出力手段１０３にユーザ情報の入力を要求する（手順Ｓ２１４）。ユーザ情報入出力手段１０３は、ユーザに対してユーザ情報の入力を操作パネル２７に表示することにより要求する（手順Ｓ２１５）。ユーザ情報入出力手段１０３は、要求に応じてユーザにより操作パネル２７からユーザ情報が入力されると（手順Ｓ２１６）、そのユーザ情報をタグ識別手段１０２に通知する（手順Ｓ２１７）。
【００５６】
タグ識別手段１０２は、通知されたユーザ情報をユーザ認証手段１０４に通知し、ユーザ認証を要求する（手順Ｓ２１８）。ユーザ認証手段１０４は、ユーザ認証処理を行う（手順Ｓ２１９：ユーザ認証可否）。ユーザ認証手段１０４は、認証に成功した場合には（手順Ｓ２１９→ＯＫ）、アプリケーション１０５とタグ識別手段１０２にユーザ認証成功（認証ＯＫ）を通知する（手順Ｓ２２０、Ｓ２２１）。
【００５７】
タグ識別手段１０２は、ユーザ認証成功の通知を受けて、ユーザ情報入出力手段１０３にユーザ認証成功を通知する（手順Ｓ２２２）。このとき、タグ登録日時を更新しても良い。タグ登録日時を更新した場合、有効期限内に、利用許可されていないアプリを利用するためのユーザ認証が成功すると、有効期限が延長される。
【００５８】
ユーザ情報入出力手段１０３は、ユーザ認証成功の通知を受けて、ユーザ認証成功を表示する（手順Ｓ２２３）。ユーザは、ユーザ認証成功の通知を受けて、アプリケーションの利用を開始する（手順Ｓ２２４）。
【００５９】
〈リソースの利用が許可されている場合の処理〉
図６は、本発明の実施形態に係る画像処理システムにおいて、リソースの利用が許可されている場合の処理を示すシーケンス図である。
【００６０】
この図において、ユーザによるタグ提示（手順Ｓ３０１）からアプリケーション利用（手順Ｓ３１０）の内容は、図４における手順Ｓ１０１からＳ１１０の内容と同様である。次の手順Ｓ３１１では、アプリケーション１０５はユーザ認証手段１０４に対して、認証状態の問合せを行う。
【００６１】
ユーザ認証手段１０４は、リソース情報テーブル１０７を参照して、要求されたアプリケーションのタグ認証に対する利用可否を判断する（手順Ｓ３１２：リソース利用可否）。例えば「リソース」が「コピー」であった場合に「許可」を読み取って、利用可と判断する（手順Ｓ３１２→ＯＫ）。そして、アプリケーション１０５とユーザ情報入出力手段１０３に認証成功（認証ＯＫ）を通知する（手順Ｓ３１３、Ｓ３１４）。
【００６２】
ユーザ情報入出力手段１０３は、認証成功の通知を受けて、認証成功を表示する（手順Ｓ３１５）。ユーザは、ユーザ認証成功の通知を受けて、アプリケーションの利用を開始する（手順Ｓ３１６）。
【００６３】
〈タグ認証で期限切れが発生し、その後のユーザ認証に失敗する場合の処理〉
図７は、本発明の実施形態に係る画像処理システムにおいて、タグ認証で期限切れが発生し、その後のユーザ認証に失敗する場合の処理を示すシーケンス図である。
【００６４】
この図において、ユーザによるタグ提示（手順Ｓ４０１）からユーザ認証要求（手順Ｓ４１８）までの内容は、図４における手順Ｓ１０１からＳ１１８の内容と同様である。
【００６５】
次の手順Ｓ４１９（ユーザ認証可否）では、ユーザ認証手段１０４は、ユーザ認証処理を行い、失敗した場合には（手順Ｓ４１９→ＮＧ）、アプリケーション１０５とタグ識別手段１０２に失敗の結果を通知する（手順Ｓ４２０、Ｓ４２１）。
【００６６】
タグ識別手段１０２は、ユーザ認証失敗の通知を受けて、ユーザ情報入出力手段１０３にユーザ認証失敗（認証ＮＧ）を通知する（手順Ｓ４２２）。また、タグ情報テーブル１０６に登録されたタグ情報を削除する（手順Ｓ４２３）。このとき削除されるタグ情報は、手順Ｓ４０２でタグから抽出され、手順Ｓ５０４で認証が成功したタグＩＤ、ならびにそれに紐付くユーザＩＤおよび登録日時情報である。
【００６７】
ユーザ情報入出力手段１０３は、ユーザ認証失敗の通知を受けて、ユーザ認証失敗を表示する（手順Ｓ４２４）。
【００６８】
以上詳細に説明したように、本発明の実施形態に係る画像処理システムは下記（１）〜（２）の特徴を備えている。
（１）ユーザが携帯するタグからタグＩＤを読み取り、タグ情報テーブル１０６からタグＩＤに紐付けられたユーザＩＤと登録日時情報とを読み取り、リソース情報テーブル１０７から機能利用の許可、禁止、有効期間を読み取り、ユーザが機能を利用する際に、機能の利用の有効期限内か否かを判断し、有効期限を経過している場合、ユーザに対してユーザＩＤの入力を求め、入力されたユーザＩＤが正しい場合に、機能の利用を許可するとともに、有効期限を延長するので、有効期限が切れたときの有効期限延長をユーザＩＤの入力という簡単な操作で行うことができる。
（２）有効期限が切れた場合、ユーザに対して、ユーザＩＤの入力を求め、入力されたユーザＩＤが誤りの場合に、機能の利用を禁止するとともに、タグ情報テーブル１０６から、タグＩＤに紐付けられたユーザＩＤと登録日時情報を削除するので、他人のタグを用いた不正使用を防止することができる。
【００６９】
なお、本発明は以上説明した実施形態に限定されるものではなく、様々な変形が可能である。すなわち、例えば図２に示す機能ブロックの一部（例えばタグ識別手段１０２、ユーザ認証手段１０４、タグ情報テーブル１０６、リソース情報テーブル１０７、ユーザ情報テーブル１０８）または全部をネットワーク３０を介してＭＦＰ１に接続されるサーバ上に設けることもできる。
【符号の説明】
【００７０】
１…ＭＦＰ、２７…操作パネル、１０１…タグ情報入力手段、１０２…タグ識別手段、１０４…ユーザ認証手段、１０５…アプリケーション、１０６…タグ情報テーブル、１０７…リソース情報テーブル、１０８…ユーザ情報テーブル。
【先行技術文献】
【特許文献】
【００７１】
【特許文献１】特開２０１０−１４９３６８号公報
【図１】
2017123075.tif 000005
【図２】
2017123075.tif 000006
【図３】
2017123075.tif 000007
【図４】
2017123075.tif 000008
【図５】
2017123075.tif 000009
【図６】
2017123075.tif 000010
【図７】
2017123075.tif 000011